(57)【特許請求の範囲】
【請求項１】
下部側にポンプ室（５）が設けてある融雪槽（１）と、該融雪槽（１）内の上方から温水を噴射する噴射管（９）と、前記ポンプ室（５）内に設けられ、前記融雪槽（１）内の融雪水を該噴射管（９）に供給するための噴射ポンプ（１０）と、給湯ボイラー（Ｂ）の生成する生活温水を所望の流量の高温水として前記ポンプ室（５）に供給し、融雪水と混合した混合温水を生成するための高温水供給装置（１５）とからなり、該高温水供給装置（１５）は、一端側（１６Ａ）が前記給湯ボイラー（Ｂ）に接続し、他端（１６Ｂ）の吐出口が前記ポンプ室（５）に開口する温水供給管（１６）と、該温水供給管（１６）に設けた流量制御弁（１７）とから構成してあることを特徴とする温水循環式融雪装置。
【請求項２】
前記高温水供給装置（１５）を構成し、前記給湯ボイラー（Ｂ）から前記ポンプ室（５）に生活温水を供給する温水供給管（１６）の吐出口は前記噴射ポンプ（１０）の近傍に位置させてあることを特徴とする請求項１記載の温水循環式融雪装置。
【発明の詳細な説明】
【０００１】
【発明の属する技術分野】
本発明は、温水循環式融雪装置に関し、特に給湯ボイラーの生活温水を融雪に効率的に利用することにより融雪効率の向上と融雪コストの低減を実現できる温水循環式融雪装置に関する。
【０００２】
【従来の技術】
従来、温水を噴射して融雪する融雪装置には、融雪槽内に熱源とポンプを設け、熱源により加熱した約４〜５度の融雪水をポンプにより吸引して上部の噴射管から噴射するようにした温水循環式のものと、生活温水用の給湯ボイラーから融雪槽内に温水を直接噴射して融雪するか、一旦融雪槽内に放出して融雪水と混合した温水を噴射するようにした給湯ボイラー利用式のものとがある。
【０００３】
【発明が解決しようとする課題】
上述した温水循環式の融雪装置は、融雪槽に投入する雪の量が多くなると水温が下がって融雪効率が低下し、融雪作業に時間が掛るという欠点がある。他方、給湯ボイラー利用式の融雪装置には、以下の欠点がある。第１に、直接噴射する場合には大量の温水を必要とするために水道料金が嵩むことと、水洗化地域ではこれに対応して下水道料金も嵩むことであり、また燃料費も嵩むという欠点である。第２に、融雪槽内に生活温水を放出する場合には、生活温水は融雪槽内に放出された時点で融雪水と混合して希釈化されるために温度が低下し、融雪効率が悪いことである。第３に、給湯ボイラーの設定温度は水の流量を調整して行うようになっているが、融雪に大量の温水を使用することから大流量低温度の温水を給湯ボイラーから融雪槽に供給すると、他の水栓の水圧が低下してしまうという欠点である。
【０００４】
本発明は上述した従来技術の欠点に鑑みなされたもので、給湯ボイラーの生活温水を効率的に使用することにより融雪効率の向上とコストの低減を図ることができるし、給湯ボイラーは既設のものも使用できるので設備費も最小限に抑えることができる温水循環式融雪装置を提供することを目的とする。
【０００５】
【課題を解決するための手段】
上述した課題を解決するために構成された請求項１に係る本発明の手段は、下部側にポンプ室（５）が設けてある融雪槽（１）と、該融雪槽（１）内の上方から温水を噴射する噴射管（９）と、前記ポンプ室（５）内に設けられ、前記融雪槽（１）内の融雪水を該噴射管（９）に供給するための噴射ポンプ（１０）と、給湯ボイラー（Ｂ）の生成する生活温水を所望の流量の高温水として前記ポンプ室（５）に供給し、融雪水と混合した混合温水を生成するための高温水供給装置（１５）とからなり、該高温水供給装置（１５）は、一端側（１６Ａ）が前記給湯ボイラー（Ｂ）に接続し、他端（１６Ｂ）の吐出口が前記ポンプ室（５）に開口する温水供給管（１６）と、該温水供給管（１６）に設けた流量制御弁（１７）とからなる。
【０００６】
そして、前記高温水供給装置（１５）を構成し、前記給湯ボイラー（Ｂ）から前記ポンプ室（５）に生活温水を供給する温水供給管（１６）の吐出口は前記噴射ポンプ（１０）の近傍に位置させるとよい。
【０００７】
【発明の実施の形態】
以下、本発明の実施の形態を図面に基づいて詳述する。図において、１は地中Ａに埋設する融雪槽を示す、該融雪槽１は繊維強化プラスチック（ＦＲＰ）により底部２、円胴部３、該円胴部３の下部側に膨出して形成され、フィルター４を介して円胴部３内と画成されたポンプ室５、円胴部３の上部に形成され、開口を有する円筒部６、該円筒部６に形成された雪投入口７とを一体に成形したものからなり、該雪投入口７は蓋体８で施蓋可能になっている。
【０００８】
９は混合温水を上方から噴射するための複数の噴射孔が形成してある噴射管で、該噴射管９は円胴部３内の上部に設置してある。１０は該噴射管９に混合温水を供給するために前記ポンプ室５に設けた噴射ポンプで、該噴射ポンプ１０は連結管１１を介して噴射管９と接続してある。
【０００９】
１２は融雪槽１内の余剰の融雪水を排出するための排水ポンプで、該排水ポンプ１２は噴射ポンプ１０の空転を防止するために架台１３によって噴射ポンプ１０より上方に設置してある。１４は排水ポンプ１２に接続した排水管で、該排水管１４は融雪槽１の上方から外部に導出され、図示しない排水溝に融雪水を放出するようになっている。
【００１０】
１５はポンプ室５に高温水を供給するための高温水供給装置を示す。１６は該高温水供給装置１５を構成する温水供給管で、該温水供給管１６は一端側１６Ａが給湯ボイラーＢに接続され、他端１６Ｂの吐出口が噴射ポンプ１０の近傍に開口している。ここで、給湯ボイラーＢは家庭や職場に設置して生活温水を供給するためのもので、給湯水の流量及び温度は制御盤Ｂ1 により設定できるものである。１７は温水供給管１６の上流側に位置して設けた手動式の流量制御弁で、その下流側にはストレーナ１８、電磁式開閉弁１９および吸気弁２０が夫々設けてある。
【００１１】
ここで、流量制御弁１７は低流量で、高温度の温水を給湯ボイラーＢからポンプ室５に供給するためのものである。電磁式開閉弁１９は給湯ボイラーＢの制御盤Ｂ1 と電気的に接続してあり、例えば制御盤Ｂ1 のタイマーにより作動を制御する場合に使用する。吸気弁２０は温水供給管１６内の凍結を防止するための水抜き弁で、流量制御弁１７又は電磁式開閉弁１９が閉弁して温水の供給が停止すると、吸気弁２０から温水供給管１６内に空気を吸入されることにより温水供給管１６内の高温水が融雪槽１内に落下放出されるものである。
【００１２】
本実施の形態は上述の構成からなるが、次にその作用について説明する。融雪水が残留している融雪槽１内に雪投入口部７から雪を投入し、高温水供給装置１５により給湯ボイラーＢから約５０〜８０度の高温水を温水供給管１６を介してポンプ室５に供給する。高温水の供給はタイマー制御により行ない、融雪槽１に投入した雪の量に見合った時間を制御盤Ｂ1 により設定する。融雪槽１内の融雪水はフィルター４からポンプ室５に流入しており、これに高温水が混合されて約５〜１０度の混合温水となり噴射ポンプ１０に吸引されて噴射管９から噴射される。そして、タイマーにより設定した時間給湯ボイラーＢから高温水がポンプ室５に供給され、混合温水となって融雪槽１内の雪を融解することができる。なお、給湯ボイラーＢから供給する高温水の温度と流量は、融雪槽１の容積や融解する雪の量を勘案して決定し、また噴射ポンプ１０の作動時間は融雪槽１内の雪の融解状態を見て任意に決定する。
【００１３】
そして、本実施の形態においては、給湯ボイラーＢから融雪水より高温の約５０度の生活温水をポンプ室５に供給し、しかも噴射ポンプ１０の近傍に吐出するようにしてある。従って、生活温水が低温の融雪水に希釈されない高温の状態のままで混合することにより高温状態を保持した混合温水を噴射管９から融雪槽１内に噴射することができるから、融雪槽１に投入された雪を効率的に融解することができるし、従来技術と比較して燃料費及び水道料を３分の１程度に低減することができる。
【００１４】
また、温水供給管１６は噴射ポンプ１０の下流側に位置する連結管１１に接続しないで、ポンプ室５に開口させてあるから、噴射ポンプ１０の吐出圧で融雪水が給湯ボイラーＢ側に逆流する現象（所謂クロスコネクション）を生じることがないので安全である。
【００１５】
またこの場合、ポンプ室５に供給する生活温水は融雪水の温度を高めるためのもので、生活温水により直接融雪するものではないから、その供給流量は低流量で足りる。従って、給湯ボイラーＢからポンプ室５に供給する温水の流量を増加する必要はないので、他の水栓からの生活温水の流量が減少するといった問題は解決できる。
【００１６】
なお、本実施の形態では融雪槽１に熱源を設けない構成にしたが、温水式或は電熱式の熱源を設ける構成にしてもよい。こうすることにより、より融雪効率を高めることができる。
【００１７】
また、本実施の形態では融雪槽１は埋設型のものとして述べたが、本発明を構成する融雪槽は地上設置型のものでもよい。
【００１８】
【発明の効果】
本発明は以上詳述したように構成したから、下記の諸効果を奏する。
（１）給湯ボイラーにより生成する高温の生活温水をポンプ室に供給する温水供給管に流量制御弁を設けたから、所望の低流量で高温度の温水をポンプ室に供給することが可能であり、しかも供給する高温水の温度と流量を融雪槽の容積や融解する雪の量を勘案して決定することができる。従って、最適な融雪効率を得ることができるし、融雪に使用する生活温水は低流量で足りるから燃料コストを低減できると共に、他の水栓の流量が低下するといった従来技術の問題を解決することができる。
（２）ポンプ室に生活温水を供給する温水供給管の吐出口は噴射ポンプの近傍に位置させてあるから、ポンプ室に供給した生活温水は温度が低下することなくほぼ高温を保持した状態で混合温水として噴射できるので、融雪効率に優れている。
【図面の簡単な説明】
【図１】  本実施の形態に係る温水循環式融雪装置の構成説明図である。
【符号の説明】
１        融雪槽
５        ポンプ室
９        噴射管
１０      噴射ポンプ
１５      高温水供給装置
１６      温水供給管
１７      流量制御弁
Ｂ        給湯ボイラー
【図１】
0003694805.tif 000002